(57)【要約】【課題】カラー画像形成時に、カラーモードと出力方法との組み合わせからなカラー両面画像形成に不向きな特定種類の用紙が指定されることを制限することである。【解決手段】操作部２０２０からカラー画像形成と両面画像形成出力の指定を行った際に、ＣＰＵ２０１４はＲＯＭ２０１３等に記憶された制限テーブルを参照して、両面カラー画像形成要求時に、用紙種類の指定の誤りで、カラー画像形成エラーとなってしまう用紙をユーザが安易に操作部２０２０から選択できなくする構成を特徴とする。【選択図】図２
2005311750.tif 000002
【特許請求の範囲】
【請求項１】
出力すべき画像データに対するカラーモードと、前記画像データを出力すべき用紙種類とを指定して両面または片面にカラーまたは白黒の画像形成を実行可能な画像形成装置であって、
カラー画像形成時に、用紙に対する画像出力方法を片面か両面のいずれかを指定する指定手段と、
前記指定手段により両面が指定された場合、入力される用紙の種類が特定種類かどうかを判断して、該特定種類の用紙に対する特定のカラーモードの指定を制限する制限手段と、
を有することを特徴とする画像形成装置。
【請求項２】
前記特定種類の用紙は、前記指定手段による画像出力方法の指定が両面で、白黒画像形成であれば両面出力可能とし、カラー画像形成であれば両面出力不可とする用紙であることを特徴とする請求項１記載の画像形成装置。
【請求項３】
出力すべき画像データに対するカラーモードと、前記画像データを出力すべき用紙種類とを指定して両面または片面にカラーまたは白黒の画像形成を実行可能な画像形成装置であって、
カラー画像形成時に、用紙に対する画像出力方法を片面か両面のいずれかを指定する指定手段と、
前記指定手段により両面が指定された場合、入力される用紙の種類が特定種類かどうかを判断して、該特定種類の用紙に対するカラーモードを正常な画像形成とすべくカラーモードの指定に変更する変更手段と、
を有することを特徴とする画像形成装置。
【請求項４】
入力画像データに対するカラーモードを指定可能な画像形成装置であって、
カラー画像形成時に、用紙に対する画像出力方法を片面か両面のいずれかを指定する指定手段と、
前記指定手段により両面画像形成が指定され、かつ、入力画像データに対するカラーモードがカラー画像形成もしくは自動画像形成である場合、入力される用紙の種類が特定種類かどうかを判断して、特定種類の用紙が選択されることを制限する用紙種類選択制限手段と、
を有することを特徴とする画像形成装置。
【請求項５】
前記用紙種類選択制限手段は、操作部上に表示される特定種類の用紙が選択されることを制限することを特徴とする請求項４記載の画像形成装置。
【請求項６】
前記用紙種類選択制限手段は、自動用紙選択機能により特定種類の用紙が収納される収納部が自動選択されることを制限することを特徴とする請求項４記載の画像形成装置。
【請求項７】
出力すべき画像データに対するカラーモードと、前記画像データを出力すべき用紙種類とを指定して両面または片面にカラーまたは白黒の画像形成を実行可能な画像形成装置における画像形成制御方法であって、
カラー画像形成時に、用紙に対する画像出力方法を片面か両面のいずれかを指定する指定ステップと、
前記指定ステップにより両面が指定された場合、入力される用紙の種類が特定種類かどうかを判断して、該特定種類の用紙に対する特定のカラーモードの指定を制限する制限ステップと、
を有することを特徴とする画像形成制御方法。
【請求項８】
前記特定種類の用紙は、前記指定ステップによる画像出力方法の指定が両面で、白黒画像形成であれば両面出力可能とし、カラー画像形成であれば両面出力不可とする用紙であることを特徴とする請求項７記載の画像形成制御方法。
【請求項９】
出力すべき画像データに対するカラーモードと、前記画像データを出力すべき用紙種類とを指定して両面または片面にカラーまたは白黒の画像形成を実行可能な画像形成装置における画像形成制御方法であって、
カラー画像形成時に、用紙に対する画像出力方法を片面か両面のいずれかを指定する指定ステップと、
前記指定ステップにより両面が指定された場合、入力される用紙の種類が特定種類かどうかを判断して、該特定種類の用紙に対するカラーモードを正常な画像形成とすべくカラーモードの指定に変更する変更ステップと、
を有することを特徴とする画像形成制御方法。
【請求項１０】
入力画像データに対するカラーモードを指定可能な画像形成装置における画像形成制御方法であって、
カラー画像形成時に、用紙に対する画像出力方法を片面か両面のいずれかを指定する指定ステップと、
前記指定ステップにより両面画像形成が指定され、かつ、入力画像データに対するカラーモードがカラー画像形成もしくは自動画像形成である場合、入力される用紙の種類が特定種類かどうかを判断して、特定種類の用紙が選択されることを制限する用紙種類選択制限ステップと、
を有することを特徴とする画像形成制御方法。
【請求項１１】
前記用紙種類選択制限ステップは、操作部上に表示される特定種類の用紙が選択を制限することを特徴とする請求項４記載の画像形成制御方法。
【請求項１２】
前記用紙種類選択制限ステップは、自動用紙選択機能により特定種類の用紙が収納される収納部が自動選択されることを制限することを特徴とする請求項４記載の画像形成制御方法。
【請求項１３】
請求項７〜１２のいずれかに記載の画像形成制御方法を実行させるためのプログラムを格納したことを特徴とするコンピュータが読み取り可能な記憶媒体。
【請求項１４】
請求項７〜１２のいずれかに記載の画像形成制御方法を実行させることを特徴とするプログラム。
【発明の詳細な説明】
【技術分野】
【０００１】
本発明は、指定されるカラーモード等に基づいて画像データを選択される用紙の両面または片面にカラーまたは白黒の画像形成を実行可能な画像形成装置および画像形成制御方法およびコンピュータが読み取り可能なプログラムを格納した記憶媒体およびプログラムに関するものである。
【背景技術】
【０００２】
一般的に、画像形成装置、例えばカラープリント装置は白黒プリント装置に比べ、トナーなどの記録材を多く記録媒体に載せるため、記録媒体の坪量にプリント結果が左右されやすくなる。そのため、坪量毎に記録媒体をグループ化し、記録媒体として選択できる媒体を制限することが一般的である。
【０００３】
その一方で、カラープリント装置の低価格化が進み、白黒プリント装置の置き換えとしてカラープリント装置が使用されるケースが増加している。そのため、従来の白黒プリント装置と同じような使い勝手がカラープリント装置にも求められている。
【０００４】
また、下記特許文献１に開示されるように、この種の画像形成装置において、例えば出力するデータの内容には、Ａ４サイズのページとＢ４サイズのページとが混在しているにも関わらず、中綴じ処理を選択してジョブを実行しようとする場合がある。このような指定を行った場合、異なるページサイズを含むジョブは中綴じ出力できないために、ジョブを実行する際にエラーとなり、オペレータの手を煩わせることがしばしばあった。
【０００５】
このような問題を改善するために、画像形成装置で現実に実行可能な出力モードのみをユーザに選択させるようにして、出力させることができないジョブがユーザによって選択されないように制御することが下記特許文献１に開示されている。
【特許文献１】特開２００３−２９９５１号公報
【発明の開示】
【発明が解決しようとする課題】
【０００６】
従来の画像形成装置は上記のように構成されていたので、白黒プリント装置の性能を維持したまま、カラープリントが可能となるカラープリント装置を実現するために、白黒プリントとカラープリントでプリントできる条件が異なる記録媒体が出現してきているので、印刷モード等に関する設定可能な条件の全てをユーザに委ねてしまうと、ユーザの用紙情報に対する熟知量に従い誤った設定を行ってしまい特定種類の用紙に対する印刷エラーによる生産性が悪化してしまう等の問題が指摘されていた。
【０００７】
また、所定のインタフェースを備えてホストコンピュータ等のプリンタドライバを介してジョブを処理する場合にも、ホスト側のプリンタドライバで用紙選択と印刷条件との不整合等により、印刷ジャムを起こしてしまうような印刷条件が印刷ジョブに設定されてしまう等の問題点があった。
【０００８】
本発明は、上記の課題を解決するためになされたもので、本発明の目的は、両面画像形成出力が指定された場合に、カラーで両面画像形成できない特定種類の用紙への画像形成が指定されると、カラー画像形成可能な用紙群から両面画像形成に不向きな特定種類の用紙の指定を制限することにより、両面カラー画像形成要求時に、用紙種類の指定の誤りで、カラー画像形成エラーとなってしまう用紙をユーザが安易に選択できなくすることができ、用紙の特性等に熟知していないユーザでも正常な両面カラー画像形成が可能な用紙群から適切な用紙種別を選択できる操作性と利便性とを両立できる画像形成装置および画像形成制御方法およびコンピュータが読み取り可能なプログラムを格納した記憶媒体およびプログラムを提供することを目的とする。
【課題を解決するための手段】
【０００９】
本発明は、出力すべき画像データに対するカラーモードと、前記画像データを出力すべき用紙種類とを指定して両面または片面にカラーまたは白黒の画像形成を実行可能な画像形成装置であって、カラー画像形成時に、用紙に対する画像出力方法を片面か両面のいずれかを指定する指定手段と、前記指定手段により両面が指定された場合、入力される用紙の種類が特定種類かどうかを判断して、特定種類の用紙に対する特定のカラーモードの指定を制限する制限手段とを有することを特徴とする。
【００１０】
また、本発明は、出力すべき画像データに対するカラーモードと、前記画像データを出力すべき用紙種類とを指定して両面または片面にカラーまたは白黒の画像形成を実行可能な画像形成装置における画像形成制御方法であって、カラー画像形成時に、用紙に対する画像出力方法を片面か両面のいずれかを指定する指定ステップと、前記指定ステップにより両面が指定された場合、入力される用紙の種類が特定種類かどうかを判断して、特定種類の用紙に対する特定のカラーモードの指定を制限する制限ステップとを有することを特徴とする。
【発明の効果】
【００１１】
本発明によれば、両面カラー画像形成要求時に、用紙種類の指定の誤りで、カラー画像形成エラーとなってしまう用紙をユーザが安易に選択できなくすることができ、用紙の特性等に熟知していないユーザでも正常な両面カラー画像形成が可能な用紙群から適切な用紙種別を選択できる操作性と利便性とを両立できるという効果を奏する。
【発明を実施するための最良の形態】
【００１２】
次に本発明を実施するための最良の形態について図面を参照して説明する。
【００１３】
図１は、本発明の一実施形態を示す画像形成装置の構成を説明するための画像処理装置の概略を表す図である。
【００１４】
図１において、１００１はデジタルスキャナ（イメージリーダ）のような画像入力部である。１００２は画像データを描画するために露光用のレーザを発生させるレーザドライバである。１００３はレーザを主走査方向に走査させるためのポリゴンミラーである。１００４は感光ドラムであり、レーザによって走査露光され、潜像形成が行われる。１００５，１００６，１００７はそれぞれ、Ｍ、Ｃ、Ｙの各色の現像器であり、ステッピングモータによって回転制御されることにより、感光ドラム１００４と交互に隣接して、感光ドラム１００４上に形成される静電潜像の現像を行う。１００８はＫの現像器である。１００９は中間転写体ベルトで、図示しない駆動ローラ等により回動して感光ドラム１００４上に各色の現像剤で現像された画像が転写される。
【００１５】
１０１０は前記感光ドラム１００４のクリーナで、感光ドラム１００４に残留する転写材を回収する。１０１１は帯電器であり、感光ドラム１００４を一様帯電させて画像形成に備えさせる。
【００１６】
本実施形態において、カラー画像の作像は、感光ドラム１００４上に、まずＭに対応した画像データに応じたレーザによる潜像形成が行われる。該潜像がＭ色現像器１００５によって現像され、現像されたトナー像が、感光ドラム１００４から中間転写ベルト１００９に一次転写される。この一連の動作が、Ｃ、Ｙ、Ｋについても続き、中間転写ベルト１００９が４回転することで、４色のトナー画像が中間転写ベルト１００９上に重ね合わされ、カラートナー画像となる。白黒プリントを行う場合は、Ｋの現像器１００８のみ使用し、中間転写ベルト１００９を１回転させることで白黒トナー画像となる。
【００１７】
１０１２は二次転写ローラで、中間転写ベルト１００９に対して脱着が可能である。脱着はソレノイドまたはステッピングモータのような駆動手段によって実施される。二次転写ローラ１０１２が中間転写ベルト１００９に密着している時に、両者の間に用紙を通すことにより、中間転写ベルト１００９から用紙へのカラートナー画像の二次転写が実行される。
【００１８】
１０１３はレジ前ローラで、１０１４はレジローラである。１０１５は用紙給紙部である。この用紙給紙部１０１５ａ〜１０１５ｄの中から選択されたいずれかの用紙給紙部から給紙された用紙は、各給紙ローラとレジ前ローラ１０１３で、レジローラ１０１４まで搬送される。
【００１９】
そして、レジ前ローラ１０１３とレジローラ１０１４とを含むレジローラ部で、用紙が軽いループを作るように、用紙をレジ前ローラ１０１３でレジローラ１０１４に押し当ててからレジ前ローラ１０１４による搬送を停止することにより、用紙に対して描画開始位置を合わせるレジ制御を行う。
【００２０】
そして、レジ制御後、中間転写ベルト１０１４と二次転写ローラと同期して、レジローラ１０１４は用紙を二次転写ローラ１０１２と中間転写ベルト１００９が接合している部分へ用紙を送り込み、用紙に対して、適切な位置への二次転写が行われる。
【００２１】
１０１６は搬送ベルトであり、この搬送ベルト１０１６には、微小な開口部が多数設けられており、ファンによるエラー排出の力により、用紙が搬送ベルト１０１６に吸着する仕組みになっている。
【００２２】
このようにして二次転写部を通った用紙は、搬送ベルト１０１６によって定着ユニット１０１７に搬送され、定着が行われる。定着後の用紙は、外排紙部１０１８から機外に排出されるか、反転部１０１９に送られて、スイッチバック制御によって両面再給紙部１０２０へ送られる。両面再給紙部１０２０に送られた用紙は、再び給紙されて、両面時の第２面目のプリントが実行される。
【００２３】
図２は、本発明の一実施形態を示す画像形成装置の一例を説明するブロック図である。
【００２４】
図２において、２００１は制御部で、不揮発性メモリ２０１１と制御部の動作に必要な制御プログラムの実行に必要な変数を格納するためのＲＡＭ２０１２と、制御部自身の動作プログラムを格納したＲＯＭ２０１３と、該動作プログラムを実行するＣＰＵ２０１４とを有し、画像形成装置を総括的に制御を行う。
【００２５】
２００２はＡ／Ｄコンバータである。２００３は環境センサ、定着温度センサ、用紙給紙部１０１５のための紙無し検知センサといったアナログ出力の各種センサ群を示している。２００４はＤ／Ａコンバータである。２００５は高圧制御部で、帯電器の制御を行う。２００６はＩ／Ｏポートである。２００７は用紙搬送経路の用紙位置センサやドアユニットセンサ等の各種の２値出力のセンサ群を表している。
【００２６】
２００８はレーザドライバ制御部（レーザドライバ）である。２００９はファンの制御部である。２０１０は各種のステッピングモータドライバである。２０１７は定着制御部である。２０１５は対画像入力部との通信制御部である。２０１６はフィニッシャ等各種アクセサリとの通信制御部を示している。２０１７は定着ユニットのヒータを示している。２０１８はソレノイド等のその他の駆動部を示している。２０２０は操作部であり、ユーザは操作部を介してオペレーションを行うことができる。
【００２７】
このように構成された画像形成装置において、詳細は後述するが操作部２０２０からカラー画像形成と両面画像形成出力の指定を行った際に、ＣＰＵ２０１４はＲＯＭ２０１３等に記憶された各種の出力制限条件テーブルを参照して、両面カラー画像形成要求時に、特定のカラーモード（例えばカラーモード「カラー」と「自動」の場合）が指定されている場合における用紙種類の指定の誤りで、カラー画像形成がエラーとなってしまう特定の種類の用紙をユーザが安易に操作部２０２０から選択できなくするように制御している。
【００２８】
図３は、図２に示した操作部２０２０に表示される用紙種類設定画面を説明する図であり、制御部２００１の制御により表示制御される。なお、用紙種類の設定は図１に示した用紙給紙部１０１５の給紙段毎に行えるように構成されている。
【００２９】
図３において、３０００は前記操作部２０２０上に表示される用紙種類設定画面である。３００１〜３００６は用紙種類の設定ボタンであり、押下することにより色が変化する。３００１は普通紙の設定ボタンであり、３００２は再生紙の設定ボタンである。３００３は厚紙１設定ボタン、３００４は厚紙２設定ボタン、３００５は厚紙３設定ボタン、３００６はＯＨＰの設定ボタンである。なお、厚紙１，厚紙２，厚紙３は用紙の坪量で使い分ける。
【００３０】
３００７はキャンセルボタンであり、押下すると制御部２００１の表示制御により、本設定を行わずこの共通仕様制御画面を抜ける。
【００３１】
３００８はＯＫボタンであり、押下することにより、制御部２００１の制御に選択されている用紙種類の設定が該当給紙段の用紙種類として、例えば不揮発性メモリ２０１１に記録される。
【００３２】
図４は、図２に示した操作部２０２０に表示されるコピー設定画面を説明する図であり、制御部２００１の表示制御により操作部２０２０上に表示される。なお、現在の表示画面は、コピー画面３１００上の表示は入力原稿が片面で出力結果が両面の場合の表示例に対応する。
【００３３】
図４において、３１０１は現在のカラーモードを表しており、押下することによりプルダウンメニューがあらわれ、３１０２は自動カラー選択モード、３１０３はフルカラーモード、３１０４は白黒モードのいずれかのカラーモードが選択できる。
【００３４】
自動カラー選択モード３１０２は、原稿のカラーモードを自動判別するモードであり、入力原稿にあわせてページ毎にカラーか自動かのいずれかのカラーモードを判定する。３１０５は両面設定ボタンであり、入力原稿が片面か両面か、出力結果が片面か両面かをそれぞれ選択可能である。
【００３５】
３１０６は用紙選択状態表示部で、出力用紙の選択方法を表しており、現在、自動用紙は入力原稿の用紙サイズに応じて出力用紙を自動選択（ＡＰＳ）することを表している。なお、入力原稿サイズが確定した時点で、制御部２００１の制御により給紙段が確定し、用紙選択状態表示部３１０６の表示が変化する。３１０７は用紙選択ボタンで、出力用紙を手動選択もしくは自動選択する場合に押下する。
【００３６】
なお、図４に示した画面表示状態で、図示しないスタートキーを押下することにより、設定されている属性・モードでコピー動作を開始する。また、用紙選択ボタン３１０７を押下した場合の説明は図７にて行う。
【００３７】
図５は、図４に示した操作部２０２０に表示されるコピー設定画面の要部構成を説明する図であり、カラーモードの制限設定がなされている場合のコピー画面３１００の表示例である。
【００３８】
図５において、３２０１は現在のカラーモードを表しており、押下することによりプルダウンメニューが現れ、自動カラー選択３２０２、フルカラー３２０３、白黒３２０４の各カラーモードが表示される。しかし、カラー禁止設定のため、自動カラー選択３２０２と、フルカラー３２０３が制御部２００１によりグレーアウト表示制御されており選択できないように設定されているため、白黒３２０４のみ選択可能である。
【００３９】
図６は、図２に示した操作部２０２０に表示される用紙なし選択画面の一例を示す図であり、制御部２００１の表示制御により表示される。
【００４０】
図６において、ジョブ中に用紙なしが発生すると、操作部２０２０上に用紙なし選択画面３３００が制御部２００１の表示制御により表示される。３３０１は給紙しようとした用紙サイズ、用紙種類を表している。３３０２〜３３０６は給紙段毎の選択ボタンであり、それぞれのボタンは用紙サイズと用紙種類、用紙残量を表示している。継続動作に不適当な給紙段はグレーアウトされており選択できない。
【００４１】
３３１０は中止キーであり、この中止キー３３１０を押下することにより、ジョブがキャンセルする処理を制御部２００１が実行する。３３１１はＯＫキーであり、給紙可能な給紙段を選択することにより、グレーアウトが解除される表示制御が制御部２００１により実行された後、押下可能となる。そして、ＯＫキー３３１１を押下することにより、選択された給紙段でジョブが再開する。
【００４２】
図７は、図２に示した操作部２０２０に表示される用紙選択画面の一例を示す図であり、制御部２００１の表示制御により表示される。
【００４３】
図７において、図４の用紙選択ボタン３１０１を押下することにより操作部２０２０上に用紙選択画面３４００が制御部２００１の表示制御により表示される。３４０２〜３４０６は給紙段毎の選択ボタンであり、それぞれのボタンは用紙サイズと用紙種類、用紙残量を表示している。
【００４４】
なお、画像形成動作の継続動作に不適当な給紙段はグレーアウトする表示制御が制御部２００１によりなされており選択できない。選択されている給紙段は他の給紙段と異なる色で表示されている。
【００４５】
３４０１は自動用紙選択ボタンであり、ユーザが給紙段を特定せず、画像形成装置に給紙段の選択を任せる場合に選択する。給紙段を選択し終わった場合、閉じるボタン３４１０を押下してこの画面を抜ける。画面を抜けると用紙選択ボタン３１０７を押下する前の画面が更新された内容を反映し表示される。
【００４６】
図８は、図２に示した操作部２０２０に表示されるコピー設定画面の一例を示す図であり、図７に示した用紙選択画面３４００で厚紙２の給紙段を選択した場合に制御部２００１の表示制御で表示される。
【００４７】
図８において、３５０１は状態表示部で、現在給紙段３段目のＡ４サイズ、厚紙２を選択していることを制御部２００１の表示制御により表示している。３５０２は現在のカラーモードを表しており、現在はコピーする原稿がカラー原稿か白黒原稿か自動的に判別する自動カラーモードが選択されている。
【００４８】
３５０３は両面設定ボタンであり、現在は入力原稿が片面で出力結果が両面の場合の設定を制御部２００１の表示制御により表示している状態に対応する。この設定の状態でスタートキー（図示せず）を押下すると、コピー処理が制御部２００１の制御により開始される。現在の設定は後述する設定禁止の組み合わせに該当するため、図９に示したダイアログが制御部２００１の表示制御により表示され、コピー動作が開始されないように制御される。
【００４９】
図９は、図２に示した操作部２０２０に表示されるコピー禁止警告画面の一例を示す図であり、コピー動作で禁止されている組み合わせのジョブが投入された場合に制御部２００１の表示制御により表示された画面表示例に対応する。
【００５０】
図９において、３６０１はコピー動作が行えない理由を表示するダイアログである。つまり、投入されたジョブが動作禁止設定に該当すると制御部２００１が後述するフローチャートの手順に基づき判断した場合は、ダイアログ３６０１を表示し、ジョブは実行されずキャンセルされる。３６０２はＯＫボタンで、ユーザの操作でＯＫボタン３６０２が押下されることを検出すると、ダイアログ３６０１を閉じる表示制御を制御部２００１が実行し、再度ジョブの設定を行うことができる状態に遷移させる。
【００５１】
図１０は、図２に示した操作部２０２０に表示される用紙選択画面の一例を示す図であり、図８に示す表示画面状態で用紙選択ボタン３５０４が押下されたことを検出した場合に、制御部２００１の表示制御により表示される画面表示に対応する。
【００５２】
図１０において、後述するが両面出力とカラーモード自動と厚紙２の組み合わせを選択することを禁止されているため、厚紙２の選択ボタン３７０１が設定されている給紙段選択ボタンがグレーアウトされて選択できなくないように制御部２００１により表示制御されている。なお、他の給紙段に対応するいずれかのボタンをユーザが選択することにより、閉じるボタン３７０２のグレーアウトが解除され、用紙選択画面３７００を抜けるように制御部２００１により表示制御される。
【００５３】
図１１は、本発明に係る画像形成装置における第１のデータ処理手順の一例を示すフローチャートであり、図２に示したＣＰＵ２０１４がＲＯＭ２０１３に記憶された制御プログラムをＲＡＭ２０１２にロードして実行することにより実現される。なお、Ｓ４００１〜Ｓ４００４は各ステップを示す。また、本処理は、用紙種類が選択されたり、片面出力か両面出力かの選択がされたりするとこのフローチャートが実行する。
【００５４】
まず、ステップＳ４００１で、操作部２０２０で設定された用紙種類をＣＰＵ２０１４が判断して、例えば「厚紙２」であると判断した場合は、ステップＳ４００２へ、例えば「厚紙２」でないと判断した場合は、ステップＳ４００４へそれぞれ進む。
【００５５】
そして、ステップＳ４００２で、両面出力が設定されているかどうかをＣＰＵ２０１４が判断して、両面出力設定であると判断した場合は、ステップＳ４００３へ、片面出力設定であると判断した場合は、ステップＳ４００４へそれぞれ進む。
【００５６】
そして、ステップＳ４００３では、ＣＰＵ２０１４がＲＡＭ２０１２で管理する用紙種類制限モードフラグを「ＯＮ」に設定し、該設定が終わると、本処理を終了する。
【００５７】
なお、上記用紙種類制限モードフラグは、組み合わせに制限のある設定がなされているかどうかを表し、「ＯＮ」は厚紙とカラーモードとの組み合わせに制限のある設定を表し、ユーザのジョブ投入やカラーモード選択などに制限が入る。
【００５８】
具体的には後述する図１４に示すテーブル中で記号「×」になっている設定が図５、図１０で説明したように設定できないもしくは、図９で説明したように設定されてもジョブ投入されない、それらの処理ができない系でジョブ投入されても動作できる仕様に丸め込まれて動作するという処理が行われる。なお、仕様の丸め込み処理の詳細に関しては図１５で説明する。
【００５９】
一方、ステップＳ４００４で、用紙種類制限モードフラグを「ＯＦＦ」に設定し、該設定が終わると、本処理を終了する。
【００６０】
なお、「ＯＦＦ」は厚紙とカラーモードとの組み合わせに制限の無い設定を表し、ユーザのジョブ投入やカラーモード選択に制限が入らない。
【００６１】
図１２は、図２に示したＲＯＭ２０１３のデータＲＯＭ内に記憶される両面時のカラー処理判断テーブルの一例を示す図である。なお、本例は、カラー両面の該当条件、例えば出力が両面であっても、表面と裏面でカラーモードが異なることがあり得ること、白紙面は白黒扱いに準拠することとして、表面と裏面のカラーモードは４通りの組み合わせが存在する。
【００６２】
図１２において、組み合わせ５００１は、表面と裏面とも白黒である場合のみカラー両面扱いを行わないことを示し、組み合わせ５００２，５００３，５００４は表面か裏面の少なくとも１面以上にカラー面が含まれるためカラー両面として扱うことを示している。
【００６３】
図１３は、図２に示したＲＯＭ２０１３のデータＲＯＭ内に記憶される各用紙種類毎の仕様制限テーブルの一例を示す図である。
【００６４】
図１３において、列５１０１は普通紙からＯＨＰの各用紙種類が白黒プリントでの両面を行えるかどうかを表している。ここでいう白黒両面プリントとは、図１２に示した組み合わせ５００１の条件である。つまり、表面と裏面とも白黒である場合である。
【００６５】
厚紙３やＯＨＰ用紙は片面出力しか行えないため「×」の設定なっている。普通紙・再生紙・厚紙１・厚紙２は両面出力可能なため「○」の設定なっている。
【００６６】
列５１０２は各用紙種類がカラープリントでの両面を行えるかどうかを表している。ここでいうカラー両面プリントとは、図１２に示した組み合わせ５００２，５００３，５００４の条件である。
【００６７】
つまり、表面もしくは裏面の少なくとも１面以上カラー面がある場合はカラープリントとなる。普通紙，再生紙，厚紙１はカラーでの両面出力可能なため「○」に設定されているが、厚紙２，厚紙３，ＯＨＰはカラーでの両面出力不可能なため「×」に設定されている。
【００６８】
列５１０３は各用紙種類が自動用紙選択（ＡＰＳ）対象かどうかを表している。給紙段指定が自動用紙の場合に、普通紙，再生紙，厚紙１が設定されている給紙段は自動用紙選択対象であることを表している。厚紙２，厚紙３，ＯＨＰが設定されている給紙段は自動用紙選択対象外であることを表している。
【００６９】
列５１０４は各用紙種類が自動給紙段切り替え対象かどうかを表している。自動給紙段切り替えとは紙なしが発生した場合に自動的に他の給紙段に切り替える機能である。普通紙・再生紙・厚紙１が設定されている給紙段は自動給紙段切り替え対象であることを表している。厚紙２，厚紙３，ＯＨＰが設定されている給紙段は自動給紙段切り替え対象外であることを表している。
【００７０】
列５１０５は各用紙種類がカラーモードの制限を受けるかどうかを表している。厚紙２以外はカラーモードの設定に関して制限がないため「○」に設定されている。厚紙２に関してはカラーモードの設定に関して制限がかかる場合があるため×となっている。厚紙２のカラーモード制限に関して図１４を用いて説明する。
【００７１】
図１４は、図２に示したＲＯＭ２０１３のデータＲＯＭ内に記憶される厚紙２のカラーモード仕様制限の一覧テーブルを示す図である。
【００７２】
図１４において、列５２０１はカラーモードが「白黒」設定の場合に、厚紙２の仕様制限がどうなるかを表している。カラーモード白黒時に厚紙２で両面プリントおよび厚紙２で片面プリント設定どちらも可能であるため「○」が設定されている。
【００７３】
列５２０２はカラーモードが「カラー」設定の場合に、厚紙２の仕様制限がどうなるかを表している。カラーモードがカラー時に厚紙２で両面プリントが不可能であるため×となり、厚紙２で片面プリントが可能であるため「○」が設定されている。
【００７４】
列５２０３はカラーモードが自動設定の場合に、厚紙２の仕様制限がどうなるかを表している。カラーモードが自動時に厚紙２で両面プリントが不可能であるため×となり、厚紙２で片面プリントが可能であるため「○」が設定されている。カラーモードが自動である場合は、カラーと判定される可能性があるため、カラーモードがカラー設定である場合に準拠する仕様となる。
【００７５】
なお、制御部２００１は、操作部２０２０を介してユーザによりカラーモードや出力方法（両面又は片面）、給紙先等の選択が実行されると、上記図１２〜図１４に示すテーブルを参照して、例えば両面が指定された場合、入力される用紙の種類が特定種類かどうかを判断して、該特定種類の用紙に対するカラーモードとしてカラー画像形成が指定されることを制限したりする。
【００７６】
また、制御部２００１は、本実施形態において、図１４に示すテーブルに設定されている「×」のカラーモードに対応する用紙を特定種類の用紙として処理する。一例として、画像出力方法の指定が両面で、白黒画像形成であれば両面出力可能とし、カラー画像形成であれば両面出力不可とする用紙として扱うことが可能に構成されている。
【００７７】
これにより、ユーザが用紙の種類とカラーモードと出力方法との関係から不具合の発生する組み合わせとなる用紙を選択することを制限すること、例えば操作部２０２０に表示される選択可能な用紙項目から外して、選択不可状態とするような制御が可能となる。そして、これによりユーザが誤操作を起こすことを未然に防止できる。
【００７８】
また、同様に制御部２００１は、出力すべき画像データに対するカラーモードと、前記画像データを出力すべき用紙種類とを指定して両面または片面にカラーまたは白黒の画像形成を実行可能な画像形成装置であって、カラー画像形成時に、用紙に対する画像出力方法を片面か両面のいずれかが操作部２０２０から、例えば両面が指定された場合、入力される用紙の種類が特定種類かどうかを判断して、該特定種類の用紙に対するカラーモードを正常な画像形成とすべくカラーモードの指定に変更する制御をしたり、入力画像データに対するカラーモードがカラー画像形成もしくは自動画像形成である場合、入力される用紙の種類が特定種類かどうかを判断して、特定種類の用紙が選択されることを制限したりすることも可能に構成されている。
【００７９】
さらに、制御部２００１は、操作部２０２０上に表示される特定種類の用紙が選択を制限する（グレー表示処理）としたり、自動用紙選択機能により特定種類の用紙が収納される収納部（本実施形態では、例えば図１に示した用紙給紙部１０１５中のいずれかのカセット給紙部に相当）が自動選択（ＡＰＳ）されることを制限することも可能に構成されている。
【００８０】
図１５は、本発明に係る画像形成装置における第２のデータ処理手順の一例を示すフローチャートであり、仕様の丸め込み処理に対応し、図２に示したＣＰＵ２０１４がＲＯＭ２０１３に記憶された制御プログラムをＲＡＭ２０１２にロードして実行することにより実現される。なお、Ｓ４１０１〜Ｓ４１０６は各ステップを示す。また、本処理は、用紙種類が選択されたり、片面出力か両面出力かの選択がされたりすることに適応したレイアウト決定処理手順であって、図１３および図１４に示すテーブルを参照してＣＰＵ２０１４が各ページの用紙種類やカラーモードが決定した際にページ毎に実行される処理に対応する。
【００８１】
まず、ステップＳ４１０１で、該当ページは両面出力指定かどうかをＣＰＵ２０１４がチェックして、両面出力指定であると判断した場合は、ステップＳ４１０２へ進み、片面出力指定であると判断した場合は、ステップＳ４１０５へ進む。
【００８２】
そして、ステップＳ４１０２で、該当ページの用紙種類をチェックして、用紙種類が厚紙２であると判断した場合は、ステップＳ４１０３へ進み、それ以外の場合はステップＳ４１０４へそれぞれ進む。
【００８３】
そして、ステップＳ４１０３で、該当ページのカラーモードをＣＰＵ２０１４が白黒であるか否かをチェックして、カラーモードの指定が白黒であると判断した場合は、ステップＳ４１０６へ進み、それ以外の場合はステップＳ４１０５へそれぞれ進む。
【００８４】
そして、ステップＳ４１０４で、該当ページの用紙種類が厚紙３もしくはＯＨＰか否かをＣＰＵ２０１４がチェックし、用紙種類が厚紙３もしくはＯＨＰであると判断した場合は、ステップＳ４１０５へ進み、それ以外であると判断した場合はステップＳ４１０６へ進む。
【００８５】
そして、ステップＳ４１０５では、該当ページを片面でレイアウト処理して、本処理を終了する。
【００８６】
一方、ステップＳ４１０６では、該当ページを両面でレイアウト処理して、本処理を終了する。
【００８７】
このように、ページ毎に条件を判断してレイアウトを決定することにより、コピージョブだけでなく、ＰＤＬのようにページ毎に用紙種類やカラーモードが設定可能なジョブにも用紙種類とカラーモードとが制限されているジョブにも適応してレイアウト処理を決定することが可能となる。
【００８８】
なお、本実施形態において、カラーとはブラック記録材以外の記録材を用いた画像形成を意味する。したがって、単色カラーやグレースケールでもブラック色の記録材以外を使用する場合はカラーとして扱う。
【００８９】
上記実施形態では、コピー機能での設定に関して説明してきたが、本発明はコピー機能に限定されず、図２に示した対アクセサリインタフェース２０１６を介してインタフェースあるいはネットワークと接続されるホストコンピュータ等のプリンタドライバが生成するＰＤＬに代表されるプリント機能など他の機能の処理にも適用可能である。
【００９０】
つまり、プリンタドライバによるモード設定等の制御時に、プリンタから図１２〜図１４に示す出力制限条件テーブルとして機能する各テーブルの情報を取得したり、画像形成装置側に問い合わせて、その結果をプリンタドライバがホストコンピュータ側のＵＩによる項目設定の際の表示制御に反映させることも本発明の適用範囲である。
【００９１】
以上説明したように、プリント時の出力制限条件テーブルを保持し、該当条件に合致するようユーザの設定制限を行い、ユーザの設定制限が行えない場合は、プリント条件に合致するよう設定を丸め込む処理を実行することにより、ユーザの使い勝手を損ねることなく白黒プリントとカラープリントでプリントできる条件が異なる記録媒体でのプリント可能な画像形成装置が実現できる。
【００９２】
以下、図１６に示すメモリマップを参照して本発明に係る画像形成装置で読み取り可能なデータ処理プログラムの構成について説明する。
【００９３】
図１６は、本発明に係る画像形成装置で読み取り可能な各種データ処理プログラムを格納する記憶媒体のメモリマップを説明する図である。
【００９４】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００９５】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００９６】
本実施形態における図１１，図１５に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００９７】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００９８】
この場合、記憶媒体から読み出されたプログラムコード自体が本発明の新規な機能を実現することになり、そのプログラムコードを記憶した記憶媒体は本発明を構成することになる。
【００９９】
従って、プログラムの機能を有していれば、オブジェクトコード、インタプリタにより実行されるプログラム、ＯＳに供給するスクリプトデータ等、プログラムの形態を問わない。
【０１００】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１０１】
この場合、記憶媒体から読出されたプログラムコード自体が前述した実施形態の機能を実現することになり、そのプログラムコードを記憶した記憶媒体は本発明を構成することになる。
【０１０２】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１０３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１０４】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０６】
本発明は上記実施形態に限定されるものではなく、本発明の趣旨に基づき種々の変形（各実施形態の有機的な組合せを含む）が可能であり、それらを本発明の範囲から排除するものではない。
【０１０７】
本発明の様々な例と実施形態を示して説明したが、当業者であれば、本発明の趣旨と範囲は、本明細書内の特定の説明に限定されるものではない。
【０１０８】
なお、本発明は、上記した実施形態に限定されるものではなく、本発明の要旨を逸脱しない範囲内において種々変更を加え得ることは勿論である。
【図面の簡単な説明】
【０１０９】
【図１】本発明の一実施形態を示す画像形成装置の構成を説明するの画像処理装置の概略を表す図である。
【図２】本発明の一実施形態を示す画像形成装置の一例を説明するブロック図である。
【図３】図２に示した操作部に表示される用紙種類設定画面を説明する図である。
【図４】図２に示した操作部に表示されるコピー設定画面を説明する図である。
【図５】図４に示した操作部に表示されるコピー設定画面の要部構成を説明する図である。
【図６】図２に示した操作部に表示される用紙なし選択画面の一例を示す図である。
【図７】図２に示した操作部に表示される用紙選択画面の一例を示す図である。
【図８】図２に示した操作部に表示されるコピー設定画面の一例を示す図である。
【図９】図２に示した操作部に表示されるコピー禁止警告画面の一例を示す図である。
【図１０】図２に示した操作部に表示される用紙選択画面の一例を示す図である。
【図１１】本発明に係る画像形成装置における第１のデータ処理手順の一例を示すフローチャートである。
【図１２】図２に示したＲＯＭのデータＲＯＭ内に記憶される両面時のカラー処理判断テーブルの一例を示す図である。
【図１３】図２に示したＲＯＭのデータＲＯＭ内に記憶される各用紙種類毎の仕様制限テーブルの一例を示す図である。
【図１４】図２に示したＲＯＭのデータＲＯＭ内に記憶される厚紙２のカラーモード仕様制限の一覧テーブルを示す図である。
【図１５】本発明に係る画像形成装置における第２のデータ処理手順の一例を示すフローチャートである。
【図１６】本発明に係る画像形成装置で読み取り可能な各種データ処理プログラムを格納する記憶媒体のメモリマップを説明する図である。
【符号の説明】
【０１１０】
２００１  制御部
２０１１  不揮発性メモリ
２０１２  ＲＡＭ
２０１３  ＲＯＭ
２０１４  ＣＰＵ
２０２０  操作部
【図１】
2005311750.tif 000003
【図２】
2005311750.tif 000004
【図３】
2005311750.tif 000005
【図４】
2005311750.tif 000006
【図５】
2005311750.tif 000007
【図６】
2005311750.tif 000008
【図７】
2005311750.tif 000009
【図８】
2005311750.tif 000010
【図９】
2005311750.tif 000011
【図１０】
2005311750.tif 000012
【図１１】
2005311750.tif 000013
【図１２】
2005311750.tif 000014
【図１３】
2005311750.tif 000015
【図１４】
2005311750.tif 000016
【図１５】
2005311750.tif 000017
【図１６】
2005311750.tif 000018